(57)【要約】【課題】着脱可能なアンテナを備えた携帯通信機器の使い勝手を向上する。【解決手段】挿抜可能なアンテナを本体から外してペン入力を行う場合、その場所での電界強度、アンテナの脱着状態を判別し、前記判別結果に基づいて段階的に警告を発する。また、暗闇で操作性改善するために、上記の入力ペンの先端部を光らせることにより、ペンで入力操作する近傍やその他機器本体の操作部を照射する。【選択図】  図３
2004363963.tif 000002
【特許請求の範囲】
【請求項１】
筐体内部に内蔵された主アンテナと、
前記筐体から着脱可能な副アンテナと、
前記主アンテナおよび副アンテナを介して無線回線網の電波を送受信する無線制御部と、
前記無線制御部と接続され情報の送受信を行う制御部と、
受信した情報を画面上に表示する情報表示部と、
前記無線制御部における受信感度に関する電界利得情報を検出する検出手段と、
前記副アンテナの着脱状態を判別する判別手段と、
前記電界利得情報とアンテナ着脱状態に応じて通知を行う通知手段と、
携帯通信機器。
【請求項２】
前記通知手段は、前記副アンテナが筐体からはずされており、かつ、前記受信感度が所定レベルよりも低いとき、通知を行うことを特徴とする請求項１に記載の携帯通信機器。
【請求項３】
前記携帯通信機器は、発光手段および音声出力手段を有し、
前記通知手段は、前記発光手段により発光状態を変化あるいは前記情報表示部により画面上にメッセージを表示あるいは前記音声出力手段により音声メッセージを出力することにより通知を行うことを特徴とする請求項１または２に記載の携帯通信機器。
【請求項４】
無線回線網の電波を送受信する無線制御部と、前記無線制御部と接続され情報の授受を行う制御部と、携帯電話端末の表面に配置した情報入力部と、受信した情報或いは入力された情報を画面上に表示する情報表示部と、更に本体と基地局間の送受信を行う主アンテナと、副アンテナの２つのアンテナを具備し、前記主アンテナは本体の筐体内部に内蔵され、前記副アンテナは本体より着脱可能な構造であって、前記副アンテナを機器本体より外した場合においても、主アンテナ単体で送受信動作可能な携帯通信機器において、
前記副アンテナの一方の端部に発光体と発光状態を切り換えるスイッチ部と電池部を設け、前記スイッチ部の操作により前記発光体を発光させる機能を有する携帯通信機器。
【請求項５】
前記携帯通信機器は機器本体用電池と電池充電手段を備え、
前記副アンテナ部に内蔵する電池を機器本体用電池の充電と同時に充電する接点部と、充電制御回路を具備することを特徴とする請求項４に記載の携帯通信機器。
【発明の詳細な説明】
【０００１】
【発明の属する技術分野】
本発明は、挿抜可能なアンテナ部を備えた携帯通信機器に関する。
【０００２】
【従来の技術】
入力釦を液晶パネル上に表示し、情報入力ペン（スタイラスペン）により操作する機器や、液晶表示部に直接手書きで文字や数字を表記して入力できる携帯端末機器がある。
【０００３】
入力用スタイラスペンはモールド材をペン型に成型して本体に添付したり、ホルダー部に収納するなどしていたが、収納部の容積確保による本体形状の寸法増大や質量増加などの問題がある。これら問題の解決手段として、着脱可能なアンテナを入力ペンと兼用し、入力装置として用いるものがある（例えば、特許文献１参照。）。また、アンテナを入力ペンとして兼用する場合に、本体側に備えたアンテナとこの入力ペンとの２つのアンテナで、ダイバーシティ機能を持たせる事により電波の強さのばらつきによる受信感度の劣化を防止する技術がある（例えば、特許文献２参照。）。
【０００４】
【特許文献１】
特開平９−１９１２０７号公報
【特許文献２】
特開平１１−１９１７５１号公報
【０００５】
【発明が解決しようとする課題】
アンテナを入力ペンとして兼用する場合、アンテナを本体から外してペン入力を行って入る状態で着信があったとき、電波が微弱な地域（電波弱電界地域）では、ダイバーシティ機能を喪失することがある。この結果、着信エラーや通話切れとなってしまうと、ユーザにとって使い勝手の悪いものとなる。また、上記とは別の解決課題として暗闇でペン入力を行う場合、ペン先と入力釦が確認し辛く、正確な入力操作が出来ない等の不具合が発生するという問題がある。
【０００６】
そこで、本発明は、上記課題を解決し携帯通信機器の使い勝手を向上することを目的とする。
【０００７】
【課題を解決するための手段】
上記課題を解決するため、挿抜可能なアンテナを本体から外してペン入力を行う場合、その場所での電界強度、アンテナの脱着状態を判別し、前記判別結果に基づいて段階的に警告を発する。また、暗闇で操作性改善するために、上記の入力ペンの先端部を光らせることにより、ペンで入力操作する近傍やその他機器本体の操作部を照射する。
【０００８】
【発明の実施の形態】
本発明の実施形態について図１〜図６を用いて説明する。
【０００９】
図１は携帯通信機器の基本的な構成要素を示したブロック図である。なお、携帯通信機器とは、例えば携帯電話やＰＤＡ（Ｐｅｒｓｏｎａｌ  Ｄｉｇｉｔａｌ  Ａｓｓｉｓｔａｎｃｅ）である。本携帯通信機器３０は、着脱式のアンテナ２（以後ホイップアンテナと称す）、筐体内部に内蔵したアンテナ３（以後内蔵アンテナ）、ＲＦ回路４、通信制御部５、レシーバ６、マイク７、液晶表示部８、操作釦部９、スピーカ２５、充電電池２８、インジケータ２４、前記液晶表示部を制御する表示コントローラ１０、充電電池２８を充電する充電制御回路２７、ホイップアンテナ２の着脱状態を検出するアンテナ検出回路２０から構成されている。
【００１０】
以下、携帯通信機器３０の各要素の機能を簡単に説明する。無線電話網の基地局より送信された電波１に対し、入力ペン兼用になる着脱式のホイップアンテナ２および機器筐体内部に内蔵したアンテナ３で無線電波を捕捉し、ＲＦ回路４と接続する。ホイップアンテナ２は本体からの伸張、収納が可能な構造で、無線回線網の電波の状態により使い分ける。ホイップアンテナ２と内蔵アンテナ３の２つのアンテナで捕捉された電波はＲＦ部４でベースバンド信号に変換され、通信制御部５に入力される。通信制御部５の主な制御動作は、レシーバ６への通話音声出力、スピーカ２５への着信音及び通話音声出力、マイク７から入力される利用者の通話音声入力、ＲＦ部へ送出する音声信号のデータ処理などがあるが、更に送受信する信号がデータ情報の場合、表示コントローラ１０を介して液晶表示部８に前記データ情報を出力し、テンキーなどで構成される操作釦部９から入力された各種情報を液晶表示部８に表示するとともに解読して所定の処理を実行する。
【００１１】
情報を送信する場合、通信制御部５からＲＦ部にデータ情報が送られ、ＲＦ信号に変換して先に述べた２つのアンテナより発信される。インジケータ２４は本体上部のユーザーが見易い位置に設置され、着信の表示や充電状態を表示するほか、本実施形態ではアンテナ利得や電界強度の変化で受信利得が下がった場合に段階的に点滅表示させる警告機能を持たせている。アンテナで捕捉する電波の強さによりＲＦ回路４に入力されるＲＦ信号を検波したＲＦレベルが変化し、通信制御部５でこのＲＦレベルをデータに変換して状況に応じて上記のインジケータ２４を点滅させ、あるいは液晶表示部８上にメッセージを表示させる。
【００１２】
図２にホイップアンテナ２と内蔵アンテナ３の接続構成図を示す。図２（ａ）はホイップアンテナ２を携帯機器本体に装填している場合、図２（ｂ）は本体から外した場合を示している。携帯通信機器３０にはホイップアンテナ２を挿抜する場合に案内し、アンテナとして使用する場合に保持する上部ガイド２１と底部ガイド２２が設けられている。上部ガイド２１と底部ガイド２２には、それぞれアンテナ上部押さえバネ１５、アンテナ上部検出スイッチ１８とアンテナ底部押さえバネ１６、アンテナ底部検出スイッチ１９が設けられている。アンテナ上部押さえバネ１５およびアンテナ底部押さえバネ１６はＲＦ回路４に、アンテナ上部検出スイッチ１８およびアンテナ底部検出スイッチ１９はアンテナ検出回路２０に接続されている。
【００１３】
携帯通信機器３０本体内部の内蔵アンテナ３は、無線回線網のＲＦ周波数帯域波長に合わせた導体長を基板上にプリントしたり、ニッケル合金などで形成された板状のアンテナエレメントユニットで構成されている。設置する位置は、使用時や待ち受け時にユーザーの手のひらに隠れにくい位置、例えば本体筐体の最下部に設置する。これは人体が電波の反射或いは吸収体となり、内蔵アンテナ３を手のひらで覆い隠してしまう事による受信利得低下を防止するためである。
【００１４】
本実施形態では本体に２つのアンテナを装備し、それぞれのアンテナの受信利得が高い方を選択的に受信するダイバーシティ受信動作行う。内蔵アンテナ３とホイップアンテナ２とは受信利得効率を考慮するとともに、互いに垂直の位置関係に配置し、携帯通信機器３０の姿勢が一般的な範囲で変化しても効率良く受信できる構成になっている。また、電波の強弱が時間的に変化してしまうフェージングが発生した場合、２つのアンテナでそれぞれ受信利得の大きい方のアンテナを選択できるため、変動に左右されにくく安定した受信性能が得られる。
【００１５】
内蔵アンテナ３は本体に設置してあるため、常時アンテナとしての機能を有しているが、ホイップアンテナ２は取り外した場合、本体のＲＦ回路４と電気的に分離されるため、アンテナ機能は喪失してしまう。このため、本発明ではホイップアンテナ２を外し、内蔵アンテナ３のみ単独での使用の場合、内蔵アンテナ側に主たる感度が得られるようにＲＦ回路４の受信利得を切り換える様にしている。内蔵アンテナ単体使用のアンテナ利得を２つのアンテナを使用する場合の８割程度とすると、ホイップアンテナ２を抜き取り入力ペンとして用いている場合でも、内蔵アンテナで実用上十分な受信性能が得られる為、通話や待ち受けが可能となる。
【００１６】
感度比率は双方のアンテナマッチングを切り換える事で対応し、またホイップアンテナ２の挿抜状態はアンテナ上部検出スイッチ１８、アンテナ底部検出スイッチ１９とアンテナ検出回路２０により判別する。検出の方法は後に図４を用いて説明する。
【００１７】
一般にダイバーシティ受信方式の場合、電気的及び機械的に同じ性能、同じ仕様のアンテナを複数配置し合成分配する事で位相の合成による指向性や利得を改善できるため、双方のアンテナ性能が均一でないとアンテナ感度のバランスが崩れ、利得の選択に不具合が生じてしまう。図４（ａ）の様にホイップアンテナ２を本体に装填して使用する場合は、双方のアンテナ性能が均一になる様にＲＦ回路４のアンテナマッチングを切り換え、均等のアンテナ感度になる様に調整するためアンテナ性能が等しくダイバーシティ受信の効果が高められる。図４（ｂ）の様にホイップアンテナ２を外した場合は内蔵アンテナ３側の受信利得が最大になるようにＲＦ送受信部４のマッチングを切り換える。
【００１８】
次にホイップアンテナ２の着脱機構、検出に関して図４を用いて説明する。図４（ａ）〜図４（ｃ）はホイップアンテナ２の使用状態を示したもので、ホイップアンテナとその取りつけ部を拡大したものである。（ａ）はホイップアンテナ２を本体内部に完全に収納した状態、（ｂ）は本体に装着した状態でホイップアンテナを最も伸張させた状態、（ｃ）はホイップアンテナを本体から抜き取った状態を示している。
【００１９】
図４（ａ）のホイップアンテナを本体に完全に収納している場合はアンテナ底部押さえバネ１６がアンテナストッパー１４の円周上につけられた溝にかみ合わされ、押さえバネの圧縮力で固定されている。また、上部のアンテナジョイント部１２側も同様に溝とアンテナ上部押さえバネ１５とがかみ合わされ固定されている。このとき、アンテナ上部検出スイッチ１８とアンテナ底部検出スイッチ１９は接点に対しオープンになり、アンテナ検出回路２０はアンテナ有りの信号を出力し、通話制御部１０で“アンテナ挿入あり”と判別される。
【００２０】
このアンテナ上部検出スイッチ１８、アンテナ底部検出スイッチ１９はアンテナストッパー１４、アンテナジョイント部１２を介してアンテナエレメント１３と電気的に導通され、アンテナとＲＦ回路の接点となっている。またアンテナ上部押さえバネ１５の近傍には本体側プラス充電電極４６、本体側マイナス充電電極４７を配置している。これはアンテナ先端を光らせるために用いる光源の電源となる小型電池の充電端子であり、携帯通信機器本体の充電電池２８に対するものと同じような制御を行う充電端子である。充電可能なアンテナ内部電池４２は、図５に示すようにホイップアンテナ２内部に設置しており、小型軽量のコイン電池を用いる。
【００２１】
充電は安全性を考慮し、ホイップアンテナ２が本体に完全に装填された時、すなわち図４（ａ）の状態で可能となる。そして、図４（ｂ）の様にホイップアンテナ２を伸張している場合やホイップアンテナ２が抜かれて充電端子が露出している図４（ｃ）の場合、またホイップアンテナ２が図４（ａ）と図４（ｂ）の間にあるような不完全に挿入されている場合などは、充電制御回路２７によりアンテナ内部電池４２が無いことを検出し充電しない。
【００２２】
アンテナ内部電池検出は、ホイップアンテナ２が完全に装填された時のみ、携帯通信機器３０本体の充電制御回路２７で上記のアンテナ内部電池４２が検出される。そして、本体充電電池２８の充電と同時にアンテナ内部電池４２の充電も開始される。ここで、ホイップアンテナ２が完全に装填された時とは、図４（ａ）のようにホイップアンテナ側のアンテナ側プラス側電極４４、とアンテナ側マイナス側電極４５とが本体側の本体側プラス充電電極４６、本体側マイナス充電電極４７に接触した状態をいう。
【００２３】
ホイップアンテナ２を伸張した場合について図４（ｂ）を用いて説明する。この状態でも、アンテナ上部押さえバネ１５がアンテナエレメント１３と電気的に導通しており、本体のＲＦ回路と接続されてアンテナ送受信動作を行う事ができる。しかし、図４（ａ）と図４（ｂ）の間にあるときは、電気的な導通接点が存在しなくなるため、ＲＦ回路に接続されず、アンテナの機能は喪失する。また先にも述べた様に、図４（ａ）の状態以外ではアンテナ側の充電電極と本体側の充電電極が接触していないため、アンテナ内部電池検出がなされず、機器本体を充電してもアンテナ内部電池４２の充電は行われない。
【００２４】
図４（ｂ）に示す状態では、アンテナ底部検出スイッチ１９はアンテナストッパー１４が上部に移動しているためオン状態となるが、アンテナ上部検出スイッチ１８はアンテナストッパー１４に押されておりオフの状態となっている。この時、アンテナ検出回路２０はアンテナが挿入されていることを示す信号を出力し、図４（ａ）の時と同様、アンテナ挿入“あり”と判別する。アンテナ上部検出スイッチ１８およびアンテナ底部検出スイッチ１９がオフの場合は「アンテナあり」、オンの場合は「アンテナなし」として検出する。更に、アンテナ上部検出スイッチ１８あるいはアンテナ底部検出スイッチ１９のどちらかがオフになっていればアンテナ挿入“あり”と判別する。
【００２５】
次に、アンテナが本体から抜かれた図４（ｃ）の場合について説明する。この時、アンテナ上部検出スイッチ１８、アンテナ底部検出スイッチ１９は双方ともオン状態となり、アンテナが本体に存在しないと判別される。この場合、内蔵アンテナ３のみの送受信状態となり、先に述べたＲＦ回路４のアンテナマッチングを内蔵アンテナ３側で最適になる様に切り換える。これにより、ホイップアンテナ２を抜き取りペン入力を行っていたとしても、内蔵アンテナ３で必要な受信利得が確保でき、待ち受け、通話が可能となる。
【００２６】
但し、この場合、２つのアンテナでダイバーシティ動作などの最適利得を得ていた状態に比べ、利得特性が不安定となる。例えば弱電界地域や電波状態が悪い地域においては、通話切れや、通話圏外と通信網から判定される圏外落ち、などの不具合が起きてしまう可能性が高くなる。弱電界での圏外落ちは通常の待ち受け状態では気づきにくく、ユーザーにこの状態を認識させる必要がある。このため、本実施形態では、ホイップアンテナ２が外されているときに待ち受け感度が低下した場合、インジケータ２４の点滅周期を電界の強さが低下するに応じて段階的に短くし、合わせて警告文やメッセージを液晶表示部１０に表示する。これにより、ユーザーに早くホイップアンテナ２を本体に戻す様に促すことができる。ホイップアンテナ２が本体に戻されれば内蔵アンテナ３単体で動作している時より受信感度が向上し、機器本来の受信利得が確保される為、圏外落ちによる着信エラー、通話切れなどの不具合が未然に防止できる。
【００２７】
次にホイップアンテナ２の構造と内部の構成を図５で説明する。アンテナエレメント１３の材質は屈曲性、柔軟性に富み、電波捕捉に優れているため、一般にニッケルチタン合金を用いる。このアンテナエレメント１３のまわりは直流的に絶縁するため、被覆用チューブ３２で覆われ、高周波電流の漏洩を防止する。上部先端にあるアンテナトップ部１１は、ユーザーが引っ張り易いようにエレメント径よりもやや大径の準円筒形になっており、入力ペンとして使い易い様に先細り型の形状に加工する。
【００２８】
本実施形態では、このホイップアンテナ２を本体から外し、入力ペンとして用いる場合を想定しており、ペンとしての長さ、太さも操作性に優れた形状に加工する。長さは携帯通信機器３０本体の寸法によって影響を受けるが５〜１０ｃｍ程度、太さはつまみ易さの点から数ｍｍ程度が適当である。上記ホイップアンテナ２は送受信する周波数が高い場合は、直線のアンテナエレメン１３で実現可能であるが、周波数が低い場合は上記長さに納めるためアンテナエレメントをヘリカルアンテナなどにすることが必要になる。ホイップアンテナ２は、所要のアンテナ性能と、スタイラスペンとして使用可能な大きさと形状にできるならば、アンテナの形式は限定されない。
【００２９】
また、アンテナトップ部１１の内部に発光素子４１を設け、点灯切り換えスイッチ４３でオン／オフできる様にした。これにより、ペン先の先端部を発光させ、入力釦周辺を照射させることができるため、ユーザは暗闇であっても入力作業を行うことができる。なお、小型であり低電流で比較的高輝度が得られるため、発光素子には発光ダイオードを用いることが好ましい。また、アンテナトップ部１１は、内部の発光ダイオードの発光を効率良く照射できるようにレンズ状にし、透明または半透明の光透過率の良い材質を用いる。
【００３０】
発光ダイオードの電源としては小型のコイン電池をホイップアンテナ２内部に内蔵する。このアンテナ内部電池４２には、充電電池を用いる。充電は先にも述べた様に、アンテナトップ部１１の下方にアンテナ内部電池４２用に、アンテナ側プラス充電電極４４、アンテナ側マイナス充電電極４５を設け、アンテナを本体に挿入した時に充電電極４４、アンテナ側マイナス充電電極４５と本体側プラス充電電極４６、本体側マイナス充電電極４７を導通させる事で可能となる。充電電流は充電制御回路２７で制御し、満充電に達したら充電を停止する為、過充電による発熱、破壊などを防止できる。
【００３１】
アンテナトップ部１１は、アンテナを本体に装備した状態でも発光可能である。また、発光のオン／オフは、アンテナトップ部の横に設けた点灯切り換えスイッチ４３で切り換える。アンテナ下端のアンテナストッパー１４はアンテナエンドと称され、従来のアンテナではホルダー径より大径の突起部を設け携帯通信機器本体より抜けない構造になっている。この部分も導電性のある低磨耗処理をした金属（例えばアルミニウム）を用いており、アンテナエレメント１３と本体のＲＦ回路との電気的接点になっている。また、アンテナトップ部１１の下部にもＲＦ回路との電気的接点となるアンテナジョイント部１２を設けており、ホイップアンテナ２挿入時でもホイップアンテナ２による電波の捕捉が可能になる構造としている。
【００３２】
以上の様に、アンテナの収納時、伸張時でＲＦ回路と接続させる目的のため、上下のアンテナ上部押さえバネ１５、アンテナ底部押さえバネ１６を設けており、バネ構造のため本体からの脱落も防止できる。
【００３３】
次に、ホイップアンテナ２を入力ペンとして用いている状態を図３に示す。図３（ａ）はホイップアンテナ２を本体に装着した場合、図３（ｂ）は本体から外して、入力操作を行う入力ペンとして用いている場合を示している。図３（ｃ）は入力ペンの先端部を光らせて操作部を照射している状態を示しており、例えば暗闇での操作や釦、文字が小さく見ずらい場合にユーザーの操作補助として有効な機能となる。
【００３４】
先にも述べた様に、通常の通話は図３（ａ）の様に本体にアンテナが装備されているため、内蔵アンテナ３との２つのアンテナで送受信するため電界強度の変化があっても、着信エラーや通話切れなどの不具合は発生することは少ないが、図３（ｂ）や図３（ｃ）の様に、アンテナを外している場合は、抜かれているホイップアンテナ２はアンテナとして機能していない為ダイバーシティ機能が無くなり、受信性能は２つのアンテナ使用時より不安定となる。受信利得が落ちてきた場合は、電界レベルに応じて段階的に警告表示あるいは警告音を出す。これにより、ユーザーに注意を促すことができる。
【００３５】
図６にＲＦレベル（受信電力値）に対するデータ変換値（Ａ／Ｄ変換値）を表にしたものの一例を示す。一般に、従来の携帯電話端末では、このデータ（Ａ／Ｄ値）から読み取った値により液晶表示部８内のアンテナアイコンの本数を表示し、電界の強度を表現している。本実施形態では、アイコン表示以外にホイップアンテナ２の本体からの脱着状態を把握し、インジケータ２４を点滅させ、液晶表示部８には電界が弱くなっていることを警告するメッセージの表示、スピーカ２５からは警告メッセージを音声で出すようにする。
【００３６】
例えば、強電界環境下（電界強度−７０ｄＢ以上の場合、強電界環境下であり、安定した受信待ち受け状態になっているため、警告やメッセージの表示等は行わない。そして、電界強度が下がった場合（電界強度−７０ｄＢ未満）、インジケータ２４を周期ｔ秒で点滅させ、液晶表示部８上に“電界が弱くなって来ました”等のメッセージ文字やスピーカ２５からメッセージ音声を出す。
【００３７】
なお、インジケータ２４の周期ｔ秒は、電界強度に応じて変化させる。例えば、電界強度が−９０ｄＢ以上−７０ｄＢ未満の場合は周期２秒とし、電界強度が−１０５ｄＢ以上−９０ｄＢ未満では点滅周期を１秒に変える。これにより、ユーザは電界強度の変化を知ることができる。なお、電界強度−９０ｄＢ未満になった場合、点滅周期を変化させるとともに、液晶表示部８とスピーカ２５より“更に電界が弱くなって来ました。アンテナを戻して下さい。”のメッセージを出すことが望ましい。さらに、電界強度−１０５ｄＢ以下の圏外環境下になった場合には、点滅周期を０．５秒にし、“電界が弱いため着信できません。至急アンテナを戻し受信圏内に移動して下さい。”  等の警告表示を行う。
【００３８】
上記実施形態では、警告をインジケータ２４の点滅、液晶表示部８上での文字表示、スピーカ２５からの音声表示を行うように説明したが、これらの一つあるいは二つを組み合わせても良い。また、各々の警告表示内容は上記に限定されるものではなく、例えば、インジケータ２４の発光量の変化や、スピーカの音量や高さの変化、液晶表示部８上での図による表示などでも良い。
【００３９】
ホイップアンテナ２を携帯通信機器３０本体から抜き取り、入力ペンとして使用している場合において、上記の様な警告、メッセージを確認したユーザーは、現在自分が使用している環境が弱電界地域である認識できる。認識したユーザーはアンテナを本体に戻す操作を行うことにより、受信利得を改善させ安定した受信動作に復活させる行為を起こさせる事が警告表示の目的である。つまりこの警告が表示される事でユーザーがアンテナを戻す行為を行うため、着信エラーや圏外落ち、通話切れなどを未然に防止し安定した状態で待ち受け、通話ができることになる。
【００４０】
以上説明したように、本実施形態では、弱電界地域や電波の不安定な地域環境下で使用する場合、挿抜可能なアンテナを本体から外してペン入力を行う場合、その場所での電界強度、アンテナの脱着状態を判別し、前記判別結果に基づいて段階的に警告を発する機能を持たせるようにした。
【００４１】
待ち受け時の受信利得が所定の基準レベルより小さくなった時に段階的に警告を出すようにすることにより、ユーザに入力ペン兼用のアンテナを本体に戻すことを促し、通話切れを未然に防止し、安定した状態で通話や情報の入手ができる。
【００４２】
更に、本実施形態では暗闇で操作性改善手段として、上記の入力ペンの先端部を光らせることにより、ペンで入力操作する近傍やその他機器本体の操作部を照射するようにした。
【００４３】
一般に携帯機器の場合、操作釦や液晶表示部にはバックライト照明機能がついているが、機器の電池消費を低減するために釦操作が無い場合、数秒から数十秒で消灯する設定になっている。ペン入力の場合、釦を直接押す操作もあるが、液晶画面上に文字入力したり、または画面上のアイコン釦を操作する場合も存在する。この場合バックライト照明では本体電池の消費量が増加し、電池寿命が短くなってしまうことが考えられる。本発明ではバックライト照明を点灯させる事無く、ペン先が光るため操作に十分な明るさを確保出来、暗闇での操作性が良くなり入力ミス、誤操作などを防止するとともに、本体電池の消費量削減の効果も得られる。
【００４４】
本実施形態によれば、使用環境による受信感度の利得劣化を防止し、入力の操作性改善手段も提供する。
【００４５】
【発明の効果】
本発明によれば、着脱可能なアンテナを備えた携帯通信機器の使い勝手を向上することができる。
【図面の簡単な説明】
【図１】携帯通信機器の構成を示したブロック図。
【図２】携帯通信機器のアンテナ周辺構成を示した接続構成図。
【図３】ホイップアンテナを入力ペンとして用いた時の使用例を示した図。
【図４】ホイップアンテナの着脱構造を示した内部構造図。
【図５】ホイップアンテナの形状、構造を示した構造図。
【図６】アンテナ利得をデータ変換したときの変換表。
【符号の説明】
２：ホイップアンテナ、３：内蔵アンテナ、４：ＲＦ回路、５：通信制御部、６：レシーバ、７：マイク、８：液晶表示部、９：操作釦、１０：表示コントローラ、１１：アンテナトップ部、１２：アンテナジョイント部、１３：アンテナエレメント、１４：アンテナストッパ、１５：アンテナ上部押さえバネ、１６：アンテナ底部押さえバネ、１８：アンテナ上部検出スイッチ、１９：アンテナ底部検出スイッチ、２０：アンテナ検出回路、２１：上部ガイド、２２：底部ガイド、２４：インジケータ、２５：スピーカ、３２：被覆用チューブ、４１：発光ダイオード、４２：アンテナ内部電池、４３：点灯切り換えスイッチ、４４：アンテナ側プラス充電電極、４５：アンテナ側マイナス充電電極、４６：本体側プラス充電電極、４７：本体側マイナス充電電極
【図１】
2004363963.tif 000003
【図２】
2004363963.tif 000004
【図３】
2004363963.tif 000005
【図４】
2004363963.tif 000006
【図５】
2004363963.tif 000007
【図６】
2004363963.tif 000008